(57)【要約】【課題】長期にわたり優れた信頼性を得ることができる電気泳動表示装置の駆動方法を提供する。【解決手段】本発明の電気泳動表示装置の駆動方法は、一対の基板間に電気泳動素子を挟持してなり、複数の画素を配列してなる表示部を備え、前記画素ごとに画像信号が入力される電極を有する電気泳動表示装置の駆動方法であって、前記表示部の表示画像を第１の画像から第２の画像に更新するに際して、前記第１の画像を表示させた後、前記第２の画像を表示させる前に、前記第１の画像に対応する画像信号の極性を反転させた反転画像信号を前記電極に入力するリセット波形入力ステップを有することを特徴とする。【選択図】図９
2011123216.tif 000002
【特許請求の範囲】
【請求項１】
一対の基板間に電気泳動素子を挟持してなり、複数の画素を配列してなる表示部を備え、前記画素ごとに画像信号が入力される電極を有する電気泳動表示装置の駆動方法であって、
前記表示部の表示画像を第１の画像から第２の画像に更新するに際して、
前記第１の画像を表示させた後、前記第２の画像を表示させる前に、前記第１の画像に対応する画像信号の極性を反転させた反転画像信号を前記電極に入力するリセット波形入力ステップを有することを特徴とする電気泳動表示装置の駆動方法。
【請求項２】
一対の基板間に電気泳動素子を挟持してなり、複数の画素を配列してなる表示部を備え、前記画素ごとに画像信号が入力される電極を有する電気泳動表示装置の駆動方法であって、
前記表示部に画像を表示させるに際して、
前記画像に対応する画像信号を前記電極に入力する前に、前記画像信号に対して極性を反転させた反転画像信号を前記電極に入力するリセット波形入力ステップを有することを特徴とする電気泳動表示装置の駆動方法。
【請求項３】
一対の基板間に電気泳動素子を挟持してなり、複数の画素を配列してなる表示部を備え、前記画素ごとに画像信号が入力される電極を有する電気泳動表示装置の駆動方法であって、
前記表示部の表示画像を第１の画像から第２の画像に更新するに際して、
前記第１の画像を表示させた後、前記第２の画像を表示させる前に、前記表示部を単一階調に移行させる波形を前記電極に入力するリセット波形入力ステップを有することを特徴とする電気泳動表示装置の駆動方法。
【請求項４】
一対の基板間に電気泳動素子を挟持してなり、複数の画素を配列してなる表示部を備え、前記画素ごとに画像信号が入力される電極を有する電気泳動表示装置の駆動方法であって、
前記表示部に画像を表示させるに際して、
前記画像に対応する画像信号を前記電極に入力する前に、前記画像が表示されたときの前記表示部を単一階調に移行させる波形を前記電極に入力するリセット波形入力ステップとを有することを特徴とする電気泳動表示装置の駆動方法。
【請求項５】
前記リセット波形入力ステップの後、前記表示部に前記画像を表示させる前に、前記表示部の全ての前記画素を同一階調に移行させる画像消去ステップを有することを特徴とする請求項１から４のいずれか１項に記載の電気泳動表示装置の駆動方法。
【請求項６】
前記画像消去ステップが、前記表示部の全ての前記画素を第１の階調に移行させる第１の画像消去ステップと、全ての前記画素を第２の階調に移行させる第２の画像消去ステップとを含むことを特徴とする請求項５に記載の電気泳動表示装置の駆動方法。
【請求項７】
一対の基板間に電気泳動素子を挟持してなり、複数の画素を配列してなる表示部を備え、前記画素ごとに画像信号が入力される電極と、前記画素を駆動制御する制御部と、を有する電気泳動表示装置であって、
前記制御部は、
前記表示部の表示画像を第１の画像から第２の画像に更新するに際して、前記第１の画像を表示させた後、前記第２の画像を表示させる前に、前記第１の画像に対応する画像信号の極性を反転させた反転画像信号を前記電極に入力するリセット波形入力動作を実行することを特徴とする電気泳動表示装置。
【請求項８】
一対の基板間に電気泳動素子を挟持してなり、複数の画素を配列してなる表示部を備え、前記画素ごとに画像信号が入力される電極と、前記画素を駆動制御する制御部と、を有する電気泳動表示装置であって、
前記制御部は、
前記表示部に画像を表示させるに際して、前記画像に対応する画像信号を前記電極に入力する前に、前記画像信号の極性を反転させた反転画像信号を前記電極に入力するリセット波形入力動作を実行することを特徴とする電気泳動表示装置。
【請求項９】
一対の基板間に電気泳動素子を挟持してなり、複数の画素を配列してなる表示部を備え、前記画素ごとに画像信号が入力される電極と、前記画素を駆動制御する制御部と、を有する電気泳動表示装置であって、
前記制御部は、
前記表示部の表示画像を第１の画像から第２の画像に更新するに際して、前記第１の画像を表示させた後、前記第２の画像を表示させる前に、前記表示部を単一階調に移行させる波形を前記電極に入力するリセット波形入力動作を実行することを特徴とする電気泳動表示装置。
【請求項１０】
一対の基板間に電気泳動素子を挟持してなり、複数の画素を配列してなる表示部を備え、前記画素ごとに画像信号が入力される電極と、前記画素を駆動制御する制御部と、を有する電気泳動表示装置であって、
前記制御部は、
前記表示部に画像を表示させるに際して、前記画像に対応する画像信号を前記電極に入力する前に、前記表示部を単一階調に移行させる波形を前記電極に入力するリセット波形入力動作を実行することを特徴とする電気泳動表示装置。
【請求項１１】
前記制御部は、前記リセット波形入力動作の後、前記表示部に前記画像を表示させる動作の前に、全ての前記画素を同一階調に移行させる画像消去動作を実行することを特徴とする請求項７から１０のいずれか１項に記載の電気泳動表示装置。
【請求項１２】
前記画像消去動作が、前記表示部の全ての前記画素を第１の階調に移行させる第１の画像消去動作と、全ての前記画素を第２の階調に移行させる第２の画像消去動作とを含むことを特徴とする請求項１１に記載の電気泳動表示装置。
【請求項１３】
請求項７から１２のいずれか１項に記載の電気泳動表示装置を備えたことを特徴とする電子機器。
【発明の詳細な説明】
【技術分野】
【０００１】
本発明は、電気泳動表示装置の駆動方法、電気泳動表示装置、及び電子機器に関するものである。
【背景技術】
【０００２】
電気泳動表示装置において、ＤＣ（直流電流）履歴が非平衡になることによるディスプレイ性能の低下を防止するために、画素に印加される波形が平衡状態を保つように駆動することが知られている。例えば特許文献１では、休止時間依存性によってベース波形を変形する場合にも、平衡パルスペアを追加・削除して画素に印加される波形が平衡状態を保つようにしている。
【先行技術文献】
【特許文献】
【０００３】
【特許文献１】特表２００８−５０９４４９号公報
【発明の概要】
【発明が解決しようとする課題】
【０００４】
特許文献１記載の発明によれば、個々の画素における電流の平衡状態を保つことが可能である。しかしながら、電気泳動素子のような直流駆動（極性駆動）表示素子では、例えば同一の画像を繰り返し表示させる場合などに、隣り合う信号線に異なる電位のパルスが入力され続け、上記信号線に接続された端子において腐食が生じることがある。つまり、同一画像が繰り返し表示されている期間に、黒表示の画素に接続された信号線にはハイレベル電位（例えば１５Ｖ）が繰り返し入力され、白表示の画素に接続された信号線にはローレベル電位（例えば−１５Ｖ）が繰り返し入力される。そうすると、隣り合う接続端子間に例えば３０Ｖ程度の高電圧が印加され続けるため、特に端子間隔が狭い場合や高温高湿環境にある場合に接続端子に腐食が生じるおそれがある。
なお、液晶装置のような交流駆動（振幅駆動）表示素子では、同一の画像を繰り返し表示させるときにも信号線に交流波形が入力されるため、上記のような端子の腐食は生じない。
【０００５】
本発明は、上記従来技術の問題点に鑑み成されたものであって、長期間にわたり優れた信頼性を得ることができる電気泳動表示装置の駆動方法、及び電気泳動表示装置を提供することを目的の一つとする。
【課題を解決するための手段】
【０００６】
本発明の電気泳動表示装置の駆動方法は、一対の基板間に電気泳動素子を挟持してなり、複数の画素を配列してなる表示部を備え、前記画素ごとに画像信号が入力される電極を有する電気泳動表示装置の駆動方法であって、前記表示部の表示画像を第１の画像から第２の画像に更新するに際して、前記第１の画像を表示させた後、前記第２の画像を表示させる前に、前記第１の画像に対応する画像信号の極性を反転させた反転画像信号を前記電極に入力するリセット波形入力ステップを有することを特徴とする。
【０００７】
この駆動方法では、第２の画像を表示させる前に実行されるリセット波形入力ステップにおいて、第１の画像を表示させるために用いた入力波形の極性を反転させた波形を電極に入力する。これにより、第１の画像を表示させる動作において生じた電流履歴を、逆方向の電流を流すことでリセットすることができるので、隣り合う配線間や接続端子間に一方向に電流が流れ続けることによる接続端子等の腐食を防止することができる。したがって本発明によれば、長期間にわたって優れた信頼性を確保できる駆動方法を提供することができる。
【０００８】
本発明の電気泳動表示装置の駆動方法は、一対の基板間に電気泳動素子を挟持してなり、複数の画素を配列してなる表示部を備え、前記画素ごとに画像信号が入力される電極を有する電気泳動表示装置の駆動方法であって、前記表示部に画像を表示させるに際して、前記画像に対応する画像信号を前記電極に入力する前に、前記画像信号に対して極性を反転させた反転画像信号を前記電極に入力するリセット波形入力ステップを有することを特徴とする。
【０００９】
この駆動方法では、画像を表示させる前に実行されるリセット波形入力ステップにおいて、その後に実行される画像表示動作で用いられる入力波形の極性を反転させた波形を電極に入力する。これにより、リセット波形入力ステップにおいて予め電流履歴を与えておき、その後の画像表示動作において生じる電流によって上記の電流履歴を相殺することができる。したがって、隣り合う配線間や接続端子間に一方向に電流が流れ続けることによる接続端子等の腐食を防止することができ、長期間にわたって優れた信頼性を確保することができる。
【００１０】
本発明の電気泳動表示装置の駆動方法は、一対の基板間に電気泳動素子を挟持してなり、複数の画素を配列してなる表示部を備え、前記画素ごとに画像信号が入力される電極を有する電気泳動表示装置の駆動方法であって、前記表示部の表示画像を第１の画像から第２の画像に更新するに際して、前記第１の画像を表示させた後、前記第２の画像を表示させる前に、前記表示部を単一階調に移行させる波形を前記電極に入力するリセット波形入力ステップを有することを特徴とする。
【００１１】
この駆動方法では、第２の画像を表示させる前に実行されるリセット波形入力ステップにおいて、第１の画像が表示された表示部を単一階調に移行させる波形を電極に入力する。これにより、第１の画像を表示させる動作で生じた電流履歴を、第１の画像を表示させるときとは逆方向の電流を流すことでリセットすることができるので、隣り合う配線間や接続端子間に一方向に電流が流れ続けることによる接続端子等の腐食を防止することができる。したがって本発明によれば、長期間にわたって優れた信頼性を確保できる駆動方法を提供することができる。
【００１２】
本発明の電気泳動表示装置の駆動方法は、一対の基板間に電気泳動素子を挟持してなり、複数の画素を配列してなる表示部を備え、前記画素ごとに画像信号が入力される電極を有する電気泳動表示装置の駆動方法であって、前記表示部に画像を表示させるに際して、前記画像に対応する画像信号を前記電極に入力する前に、前記画像が表示されたときの前記表示部を単一階調に移行させる波形を前記電極に入力するリセット波形入力ステップとを有することを特徴とする。
【００１３】
この駆動方法では、画像を表示させる前に実行されるリセット波形入力ステップにおいて、その後に実行される画像表示動作後の表示部を単一階調に移行させることできる波形を電極に入力する。これにより、リセット波形入力ステップにおいて予め電流履歴を与えておき、その後の画像表示動作において生じる電流によって上記の電流履歴を相殺することができる。したがって、隣り合う配線間や接続端子間に一方向に電流が流れ続けることによる接続端子等の腐食を防止することができ、長期間にわたって優れた信頼性を確保することができる。
【００１４】
前記リセット波形入力ステップの後、前記表示部に前記画像を表示させる前に、前記表示部の全ての前記画素を同一階調に移行させる画像消去ステップを有することも好ましい。
前記画像消去ステップが、前記表示部の全ての前記画素を第１の階調に移行させる第１の画像消去ステップと、全ての前記画素を第２の階調に移行させる第２の画像消去ステップとを含むことも好ましい。
このような駆動方法とすれば、残像が防止された高品質の表示を得ることができる。
【００１５】
本発明の電気泳動表示装置は、一対の基板間に電気泳動素子を挟持してなり、複数の画素を配列してなる表示部を備え、前記画素ごとに画像信号が入力される電極と、前記画素を駆動制御する制御部と、を有する電気泳動表示装置であって、前記制御部は、前記表示部の表示画像を第１の画像から第２の画像に更新するに際して、前記第１の画像を表示させた後、前記第２の画像を表示させる前に、前記第１の画像に対応する画像信号の極性を反転させた反転画像信号を前記電極に入力するリセット波形入力動作を実行することを特徴とする。
【００１６】
この構成によれば、第２の画像を表示させる前に実行されるリセット波形入力動作において、第１の画像を表示させるために用いた入力波形の極性を反転させた波形を電極に入力する。これにより、第１の画像を表示させる動作において生じた電流履歴を、逆方向の電流を流すことでリセットすることができるので、隣り合う配線間や接続端子間に一方向に電流が流れ続けることによる接続端子等の腐食を防止することができる。したがって本発明によれば、長期間にわたって優れた信頼性を確保できる電気泳動表示装置を実現できる。
【００１７】
本発明の電気泳動表示装置は、一対の基板間に電気泳動素子を挟持してなり、複数の画素を配列してなる表示部を備え、前記画素ごとに画像信号が入力される電極と、前記画素を駆動制御する制御部と、を有する電気泳動表示装置であって、前記制御部は、前記表示部に画像を表示させるに際して、前記画像に対応する画像信号を前記電極に入力する前に、前記画像信号の極性を反転させた反転画像信号を前記電極に入力するリセット波形入力動作を実行することを特徴とする。
【００１８】
この構成によれば、画像を表示させる前に実行されるリセット波形入力動作において、その後に実行される画像表示動作で用いられる入力波形の極性を反転させた波形を電極に入力する。これにより、リセット波形入力動作において予め電流履歴を与えておき、その後の画像表示動作において生じる電流によって上記の電流履歴を相殺することができる。したがって、隣り合う配線間や接続端子間に一方向に電流が流れ続けることによる接続端子等の腐食を防止することができ、長期間にわたって優れた信頼性を確保することができる。
【００１９】
本発明の電気泳動表示装置は、一対の基板間に電気泳動素子を挟持してなり、複数の画素を配列してなる表示部を備え、前記画素ごとに画像信号が入力される電極と、前記画素を駆動制御する制御部と、を有する電気泳動表示装置であって、前記制御部は、前記表示部の表示画像を第１の画像から第２の画像に更新するに際して、前記第１の画像を表示させた後、前記第２の画像を表示させる前に、前記表示部を単一階調に移行させる波形を前記電極に入力するリセット波形入力動作を実行することを特徴とする。
【００２０】
この構成によれば、第２の画像を表示させる前に実行されるリセット波形入力動作において、第１の画像が表示された表示部を単一階調に移行させる波形を電極に入力する。これにより、第１の画像を表示させる動作において生じた電流履歴を、第１の画像を表示させるときとは逆方向の電流を流すことでリセットすることができるので、隣り合う配線間や接続端子間に一方向に電流が流れ続けることによる接続端子等の腐食を防止することができる。したがって本発明によれば、長期間にわたって優れた信頼性を確保できる駆動方法を提供することができる。
【００２１】
本発明の電気泳動表示装置は、一対の基板間に電気泳動素子を挟持してなり、複数の画素を配列してなる表示部を備え、前記画素ごとに画像信号が入力される電極と、前記画素を駆動制御する制御部と、を有する電気泳動表示装置であって、前記制御部は、前記表示部に画像を表示させるに際して、前記画像に対応する画像信号を前記電極に入力する前に、前記表示部を単一階調に移行させる波形を前記電極に入力するリセット波形入力動作を実行することを特徴とする。
【００２２】
この構成によれば、画像を表示させる前に実行されるリセット波形入力動作において、その後に実行される画像表示動作後の表示部を単一階調に移行させることできる波形を電極に入力する。これにより、リセット波形入力動作において予め電流履歴を与えておき、その後の画像表示動作において生じる電流によって上記の電流履歴を相殺することができる。したがって、隣り合う配線間や接続端子間に一方向に電流が流れ続けることによる接続端子等の腐食を防止することができ、長期間にわたって優れた信頼性を確保することができる。
【００２３】
前記制御部は、前記リセット波形入力動作の後、前記表示部に前記画像を表示させる動作の前に、全ての前記画素を同一階調に移行させる画像消去動作を実行することも好ましい。
前記画像消去動作が、前記表示部の全ての前記画素を第１の階調に移行させる第１の画像消去動作と、全ての前記画素を第２の階調に移行させる第２の画像消去動作とを含むことも好ましい。
これらの構成によれば、残像が防止された高品質表示を得ることができる。
【００２４】
本発明の電子機器は、先に記載の電気泳動表示装置を備えたことを特徴とする。
この構成によれば、信頼性に優れた表示手段を具備した電子機器を提供することができる。
【図面の簡単な説明】
【００２５】
【図１】第１実施形態に係る電気泳動表示装置の概略構成図。
【図２】画素回路を示す図。
【図３】実施形態に係る電気泳動表示装置の要部断面図及び動作説明図。
【図４】実施形態に係る電気泳動表示装置の全体構成を示す図。
【図５】画素回路の具体例を示す図。
【図６】端子形成領域の具体例を示す図
【図７】図５及び図６に対応する断面図。
【図８】実施形態に係る電気泳動表示装置の駆動方法に関する説明図。
【図９】実施形態に係る電気泳動表示装置の駆動方法のタイミングチャート。
【図１０】駆動方法の異なる形態を示す説明図。
【図１１】第２実施形態の駆動方法に係るタイミングチャート。
【図１２】第３実施形態の駆動方法に係るタイミングチャート。
【図１３】電子機器の一例を示す図。
【図１４】電子機器の一例を示す図。
【図１５】電子機器の一例を示す図。
【発明を実施するための形態】
【００２６】
以下、図面を用いて本発明の実施の形態について説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００２７】
（第１の実施形態）
図１は、本発明の一実施の形態である電気泳動表示装置１００の概略構成図である。
電気泳動表示装置１００は、複数の画素４０がマトリクス状に配列された表示部５を備えている。表示部５の周辺には、走査線駆動回路６１、データ線駆動回路６２、コントローラー（制御部）６３、及び容量線駆動回路６４が配置されている。走査線駆動回路６１、データ線駆動回路６２、及び容量線駆動回路６４は、それぞれコントローラー６３と接続されている。コントローラー６３は、上位装置から供給される画像データや同期信号に基づき、これらを総合的に制御する。
【００２８】
表示部５には走査線駆動回路６１から延びる複数の走査線６６と、データ線駆動回路６２から延びる複数のデータ線６８とが形成されており、これらの交差位置に対応して画素４０が設けられている。また、容量線駆動回路６４から延びる容量線６７が設けられており、それぞれの配線は画素４０と接続されている。
【００２９】
走査線駆動回路６１は、ｍ本の走査線６６（Ｙ１、Ｙ２、...、Ｙｍ）を介して各々の画素４０に接続されており、コントローラー６３の制御のもと、１行目からｍ行目までの走査線６６を順次選択し、画素４０に設けられた選択トランジスタ４１（図２参照）のオンタイミングを規定する選択信号を、選択した走査線６６を介して供給する。データ線駆動回路６２は、ｎ本のデータ線６８（Ｘ１、Ｘ２、...、Ｘｎ）を介して各々の画素４０に接続されており、コントローラー６３の制御のもと、画素４０の各々に対応する画素データを規定する画像信号を画素４０に供給する。容量線駆動回路６４は、コントローラー６３の制御のもと、容量線６７に所定の電位を供給する。
【００３０】
図２は、画素４０の回路構成図である。
画素４０には、選択トランジスタ４１と、保持容量Ｃ１と、画素電極３５と、電気泳動素子３２と、共通電極３７と、が設けられている。また、画素４０には、走査線６６と、データ線６８と、容量線６７とが接続されている。選択トランジスタ４１のゲートに走査線６６が接続され、ソースにデータ線６８が接続され、ドレインに画素電極３５と保持容量Ｃ１の一方の電極が接続されている。保持容量Ｃ１の他方の電極は容量線６７に接続されている。
なお、本実施形態の場合、選択トランジスタ４１はＮ−ＭＯＳ（Negative channel Metal Oxide Semiconductor）トランジスタであるが、Ｎ−ＭＯＳトランジスタと同等の機能を有する他の種類のスイッチング素子と置き換えてもよい。例えば、Ｎ−ＭＯＳトランジスタに代えてＰ−ＭＯＳトランジスタを用いてもよく、インバータやトランスミッションゲートを用いてもよい。
【００３１】
画素４０において、走査線６６を介して入力される選択信号により選択トランジスタ４１がオン状態とされると、選択トランジスタ４１を介してデータ線６８から画素電極３５に画像信号が入力されるとともに保持容量Ｃ１が充電される。そして、保持容量Ｃ１に蓄積されたエネルギーにより画素電極３５が所定の電位レベルに保持され、画素電極３５と共通電極３７との電位差によって電気泳動素子３２が駆動される。
【００３２】
次に、図３（ａ）は、表示部５における電気泳動表示装置１００の部分断面図である。電気泳動表示装置１００は、素子基板（第１基板）３０と対向基板（第２基板）３１との間に、複数のマイクロカプセル２０を配列してなる電気泳動素子３２を挟持した構成を備えている。
【００３３】
表示部５において、素子基板３０の電気泳動素子３２側には、図１や図２に示した走査線６６、データ線６８、選択トランジスタ４１などが形成された回路層３４が設けられており、回路層３４上に複数の画素電極３５が配列形成されている。
素子基板３０は、ガラスやプラスチック等からなる基板であり、画像表示面とは反対側に配置されるため透明なものでなくてもよい。画素電極３５は、Ｃｕ（銅）箔上にニッケルメッキと金メッキとをこの順番で積層したものや、Ａｌ（アルミニウム）、ＩＴＯ（インジウム・スズ酸化物）などにより形成された電気泳動素子３２に電圧を印加する電極である。
【００３４】
一方、対向基板３１の電気泳動素子３２側には複数の画素電極３５と対向する平面形状の共通電極３７が形成されており、共通電極３７上に電気泳動素子３２が設けられている。
対向基板３１はガラスやプラスチック等からなる基板であり、画像表示側に配置されるため透明基板とされる。共通電極３７は、画素電極３５とともに電気泳動素子３２に電圧を印加する電極であり、ＭｇＡｇ（マグネシウム銀）、ＩＴＯ（インジウム・スズ酸化物）、ＩＺＯ（インジウム・亜鉛酸化物）などから形成された透明電極である。
そして、電気泳動素子３２と画素電極３５とが、接着剤層３３を介して接着されることで、素子基板３０と対向基板３１とが接合されている。
【００３５】
なお、電気泳動素子３２は、あらかじめ対向基板３１側に形成され、接着剤層３３までを含めた電気泳動シートとして取り扱われるのが一般的である。製造工程において、電気泳動シートは接着剤層３３の表面に保護用の離型シートが貼り付けられた状態で取り扱われる。そして、別途製造された素子基板３０（画素電極３５や各種回路などが形成されている）に対して、離型シートを剥がした当該電気泳動シートを貼り付けることによって、表示部５を形成する。このため、接着剤層３３は画素電極３５側のみに存在することになる。
【００３６】
図３（ｂ）は、マイクロカプセル２０の模式断面図である。マイクロカプセル２０は、例えば５０μｍ程度の粒径を有しており、内部に分散媒２１と、複数の白色粒子（電気泳動粒子）２７と、複数の黒色粒子（電気泳動粒子）２６とを封入した球状体である。マイクロカプセル２０は、図３（ａ）に示すように共通電極３７と画素電極３５とに挟持され、１つの画素４０内に１つ又は複数のマイクロカプセル２０が配置される。
【００３７】
マイクロカプセル２０の外殻部（壁膜）は、ポリメタクリル酸メチル、ポリメタクリル酸エチルなどのアクリル樹脂、ユリア樹脂、アラビアガムなどの透光性を持つ高分子樹脂などを用いて形成される。
分散媒２１は、白色粒子２７と黒色粒子２６とをマイクロカプセル２０内に分散させる液体である。分散媒２１としては、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、長鎖アルキル基を有するベンゼン類（キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）、カルボン酸塩などを例示することができ、その他の油類であってもよい。これらの物質は単独又は混合物として用いることができ、さらに界面活性剤などを配合してもよい。
【００３８】
白色粒子２７は、例えば、二酸化チタン、亜鉛華、三酸化アンチモン等の白色顔料からなる粒子（高分子あるいはコロイド）であり、例えば負に帯電されて用いられる。黒色粒子２６は、例えば、アニリンブラック、カーボンブラック等の黒色顔料からなる粒子（高分子あるいはコロイド）であり、例えば正に帯電されて用いられる。
これらの顔料には、必要に応じ、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。
また、黒色粒子２６及び白色粒子２７に代えて、例えば赤色、緑色、青色、イエロー、シアン、マゼンタなどの顔料を用いてもよい。かかる構成によれば、表示部５に赤色、緑色、青色、イエロ、シアン、マゼンタなどを表示することができる。
【００３９】
図３（ｃ）は、電気泳動素子の動作説明図であり、画素４０を黒表示する場合が示されている。
画素４０を黒表示させる場合、図示のように共通電極３７が相対的に低電位、画素電極３５が相対的に高電位に保持される。すなわち、共通電極３７の電位を基準電位としたとき、画素電極３５が正極性に保持される。これにより、正に帯電した黒色粒子２６が共通電極３７に引き寄せられる一方、負に帯電した白色粒子２７が画素電極３５に引き寄せられる。その結果、共通電極３７側からこの画素を見ると黒色が認識される。
画素４０を白表示させる場合には、共通電極３７を相対的に高電位、画素電極３５を相対的に低電位に保持し、画素電極３５を共通電極３７の電位に対して負極性にする。これにより、負に帯電した白色粒子２７が共通電極３７側へ引き寄せられ、表示面側から見たときに白色が認識される。
【００４０】
図４は、電気泳動表示装置１００の全体構成の複数の例を示す図である。
図４（ａ）に示す例では、素子基板３０は電気泳動シートである対向基板３１よりも大きな平面寸法を有しており、対向基板３１よりも外側に張り出した素子基板３０上に２つの走査線駆動回路６１と２つのデータ線駆動回路６２とがＣＯＧ（Chip On Glass）実装されている。また、データ線駆動回路６２の近傍の辺縁部に端子形成領域１１０が形成されており、かかる端子形成領域１１０に、外部機器と接続するためのフレキシブル基板２０１が、ＡＣＰ（異方性導電ペースト）やＡＣＦ（異方性導電フィルム）を介して接着されている。
【００４１】
図４（ａ）に示す例では、素子基板３０と対向基板３１とが重なる領域に表示部５が形成されており、表示部５から延びる配線（走査線６６やデータ線６８）が、走査線駆動回路６１及びデータ線駆動回路６２が実装されている領域に延出され、当該実装領域に形成された接続端子に接続されている。そして、かかる接続端子に対して走査線駆動回路６１やデータ線駆動回路６２がＡＣＰやＡＣＦを介して実装されている。
【００４２】
一方、図４（ｂ）に示す例では、走査線駆動回路６１及びデータ線駆動回路６２は素子基板３０上に実装されておらず、フレキシブル基板２０２、２０３上にＣＯＦ（Chip On Film）実装（あるいはＴＡＢ（Tape Automated Bonding）実装）されている。そして、走査線駆動回路６１が実装されたフレキシブル基板２０２が、素子基板３０の一短辺に沿った辺縁部に形成された端子形成領域１２０に、ＡＣＰ等を介して実装されている。また、データ線駆動回路６２が実装されたフレキシブル基板２０３が、素子基板３０の一長辺に沿った辺縁部に形成された端子形成領域１３０に、ＡＣＰ等を介して実装されている。端子形成領域１２０、１３０には、それぞれ複数の接続端子が形成されており、各々の接続端子に対して表示部５から延びる走査線６６やデータ線６８が接続されている。
さらに、データ線駆動回路６２が実装されたフレキシブル基板２０３は、リジッド基板２０４にも接続され、リジッド基板２０４に外部接続用のフレキシブル基板２０５が接続されている。
【００４３】
次に、図５は、素子基板３０上における画素４０の具体的構成例を示す図である。図６は、図４（ｂ）に示した端子形成領域１３０の２つの構成例を示す平面図である。図７は、図５及び図６に対応する断面図である。
【００４４】
まず、図５に示すように、素子基板３０上の画素形成領域には、互いに交差する方向に延びる複数の走査線６６と複数のデータ線６８とが形成されている。図において、隣り合う２本の走査線６６と隣り合う２本のデータ線６８とに囲まれる平面視矩形状の領域がほぼ画素４０の平面領域に対応する。
画素４０には、Ａｌ（アルミニウム）等の遮光性を有する金属材料、又はＩＴＯ（インジウム錫酸化物）等の透明導電材料、あるいは金属材料と透明導電材料をこの順に積層した２層構造からなる平面視略矩形状の画素電極３５と、保持容量Ｃ１と、選択トランジスタ４１とが形成されている。
【００４５】
選択トランジスタ４１は、アモルファスシリコン（ａ−Ｓｉ）からなる半導体層７１と、半導体層７１の下層側（素子基板３０側）に設けられたゲート電極６６ａ、６６ｂと、半導体層７１の上層側に設けられたソース電極７２と、ドレイン電極７３と、接続電極７４と、を備えている。
ゲート電極６６ａ、６６ｂは、走査線６６の一部をデータ線６８に沿う方向に分岐させて形成されている。ゲート電極６６ａ、６６ｂと重なるように平面視矩形状の半導体層７１が形成されている。ソース電極７２は、データ線６８の一部を走査線６６に沿う方向に分岐させて形成されており、ドープトシリコン膜からなるオーミックコンタクト層８１を介して半導体層７１（ソース領域）と接続されている。ドレイン電極７３は一方の端部をドープトシリコン膜からなるオーミックコンタクト層８３を介して半導体層７１（ドレイン領域）に接続され、他方の端部を容量電極７０ａに接続されている。ゲート電極６６ａ、６６ｂ間に形成されオーミックコンタクト層８２を介して半導体層７２に接続された矩形状の接続電極７４は、各々のゲート電極６６ａ、６６ｂに対応して形成されたトランジスタ同士を接続している。
【００４６】
保持容量Ｃ１は、画素領域内に形成された平面視略Ｌ形の容量電極７０ａ、７０ｂと、これらの間に形成された絶縁膜（ゲート絶縁膜）とにより構成された容量素子である。容量電極７０ａは選択トランジスタ４１のドレイン電極７３と接続されるとともに、コンタクトホールＨ１を介して画素電極３５と接続されている。容量電極７０ｂは走査線６６と平行に延びる容量線６７と接続されている。
上記構成の画素４０において、走査線６６から入力される選択信号により選択トランジスタ４１が所定期間だけオン状態とされることで、データ線６８から供給される画像信号が画素電極３５に書き込まれる。
【００４７】
図７に示す断面構造を見ると、素子基板３０上にゲート電極６６ａ、６６ｂと、容量電極７０ｂとが形成されている。ゲート電極６６ａ、６６ｂ及び容量電極７０ｂを覆ってゲート絶縁膜４３が形成されている。ゲート電極６６ａ、６６ｂ上に位置するゲート絶縁膜４３上に半導体層７１が形成されており、半導体層７１上の一部領域を含むゲート絶縁膜４３上に、ソース電極７２、ドレイン電極７３、接続電極７４、及び容量電極７０ａが形成されている。上記の構成要素により形成された選択トランジスタ４１及び保持容量Ｃ１を覆って、パッシベーション膜４４が形成されている。パッシベーション膜４４上には平坦化膜４５が形成され、平坦化膜４５上に画素電極３５が形成されている。画素電極３５は、平坦化膜４５とパッシベーション膜４４とを貫通して容量電極７０ａに達するコンタクトホールＨ１を介して容量電極７０ａと接続されている。
【００４８】
次に、図６（ａ）に示す端子形成領域１３０には、複数の接続端子１１５が素子基板３０の図示左右方向に延びる辺端に沿って配列されている。各々の接続端子１１５には、表示部５から延びたデータ線６８が接続されている。より詳細には、接続端子１１５は、データ線６８の先端部に形成された拡幅部位からなる下層電極１１６と、下層電極１１６上に形成された上層電極１１７とからなる。下層電極１１６と上層電極１１７とは、下層電極１１６の平面領域内に形成されたコンタクトホールＨ２を介して接続されている。
接続端子１１５は、その配列方向（図示左右方向）においてジグザグに配列されており、基板端縁に近い側の第１の端子列Ｐｄ１に接続されたデータ線６８は、表示部５に近い側の第２の端子列Ｐｄ２の接続端子１１５の間を経由して表示部５へ延びている。このように、接続端子１１５は端子形成領域１３０に高密度配置されている。
【００４９】
図７に示す断面構造を見ると、素子基板３０上にゲート絶縁膜４３が形成されており、ゲート絶縁膜４３上に下層電極１１６が形成されている。下層電極１１６を覆ってパッシベーション膜４４が形成され、パッシベーション膜４４上に、画素電極３５と同一材料からなる上層電極１１７が形成されている。パッシベーション膜４４を貫通して下層電極１１６に達するコンタクトホールＨ２を介して上層電極１１７と下層電極１１６とが接続されている。
【００５０】
また、端子形成領域１３０の構成は、図６（ｂ）に示すように接続端子１１５が素子基板３０の辺縁に沿って一列に並べられている形態であってもよい。この場合には、接続端子１１５を高密度に配置すると、素子基板３０の表面に露出する上層電極１１７が非常に近接した状態となるため、隣り合う接続端子１１５に大きな電位差が生じたときにＡＣＰ等を介して流れる電流に起因する腐食がさらに発生しやすくなる。
【００５１】
［駆動方法］
次に、図８及び図９を参照して本実施形態の電気泳動表示装置の駆動方法について説明する。
図８は、本実施形態の駆動方法の説明に用いる表示部の平面図である。図９は、本実施形態の駆動方法におけるタイミングチャートである。なお、図８では、説明の簡単のために表示部５を３画素×３画素の構成として示している。
【００５２】
本実施形態の駆動方法は、図９に示すように、表示部５に第１の画像を表示させる第１の画像表示ステップＳ１０１と、表示部５に第２の画像を表示させる第２の画像表示ステップＳ１０２とを含む。さらに、第１の画像表示ステップＳ１０１は、リセット波形入力ステップＳＴ１１と、画像信号入力ステップＳＴ１２とからなり、第２の画像表示ステップＳ１０２は、リセット波形入力ステップＳＴ２１と、画像信号入力ステップＳＴ２２とからなる。
【００５３】
ここで、図８（ａ）には、第１の画像表示ステップＳ１０１により第１の画像が書き込まれた状態の表示部５が示され、図８（ｂ）には、第２の画像表示ステップＳ１０２により第２の画像が書き込まれた状態の表示部５が示されている。すなわち、本実施形態では、第１の画像と第２の画像とは同一の画像である。
また図８及び図９において、電位Ｓ１は、中央の第２列の画素４０に接続されたデータ線６８の電位であり、電位Ｓ２は、図８右側の第３列の画素４０に接続されたデータ線６８の電位である。
【００５４】
本発明に係る駆動方法は、表示部５に画像を表示させる画像信号入力ステップＳＴ１２（ＳＴ２２）の前に、リセット波形入力ステップＳＴ１１（ＳＴ２１）を有することを特徴としている。また、リセット波形入力ステップＳＴ１１（ＳＴ２１）は、（Ａ）前画像（前フレームの画像）の表示動作による電流履歴をリセットするように機能させることも、（Ｂ）当画像（当該フレームの画像）の表示動作による電流履歴をリセットするように機能させることもできる。
【００５５】
本実施形態では、まず、（Ａ）前画像の表示動作による電流履歴をリセットする場合について説明する。
上記の駆動方法（Ａ）において、第１の画像表示ステップＳ１０１のリセット波形入力ステップＳＴ１１は、第１の画像表示ステップＳ１０１の直前のフレームでの表示動作による電流履歴をリセットするものであり、ここでは説明を省略する。
次いで、画像信号入力ステップＳＴ１２では、電位Ｓ１（第２列のデータ線６８の電位）が正極性（例えば１５Ｖ）、電位Ｓ２（第３列のデータ線６８の電位）が負極性（例えば−１５Ｖ）とされる。これにより、第２列に属する画素４０の画素電極３５に正極性の電位が入力され、第３列に属する画素４０の画素電極３５に負極性の電位が入力される。共通電極３７には基準電位（例えば０Ｖ）が入力される。
これにより、第２列の画素４０が黒表示され（図３（ｃ）参照）、第３列の画素４０が白表示される。その結果、図８（ａ）に示すように、表示部５に白黒縞の第１の画像が表示される。
また、上記の画像信号入力ステップＳＴ１２において、図９に示すように、隣り合うデータ線６８（第２、３列）の電位差Ｓ１−Ｓ２は、正極性（例えば３０Ｖ）であり、印加期間はパルス幅ＰＷである。
【００５６】
次に、第２の画像表示ステップＳ１０２に移行すると、まず、リセット波形入力ステップＳＴ２１が実行される。リセット波形入力ステップＳＴ２１では、電位Ｓ１が負極性（例えば−１５Ｖ）、電位Ｓ２が正極性（例えば１５Ｖ）とされる。
すなわち、第１の画像表示ステップＳ１０１の画像信号入力ステップＳＴ１２で入力された画像信号とは極性が逆であり、かつ同一振幅であるパルスが画素電極３５に入力される。また、リセット波形入力ステップＳＴ２１で入力されるパルスのパルス幅ＰＷは、画像信号入力ステップＳＴ１２で入力されたパルスのパルス幅ＰＷと同一である。したがって、リセット波形入力ステップＳＴ２１における隣り合うデータ線６８の電位差Ｓ１−Ｓ２は、負極性（例えば−３０Ｖ）であり、印加期間はパルス幅ＰＷである。
【００５７】
このように、リセット波形入力ステップＳＴ２１では、直前の画像信号入力ステップＳＴ１２における印加電圧と印加時間の積との合計がゼロになるように、隣り合うデータ線６８の間に電力（印加電圧と印加時間の積）が入力される。これにより、画像信号入力ステップＳＴ１２において第２列のデータ線６８に接続された接続端子１１５から第３列のデータ線６８に接続された接続端子１１５へＡＣＰ等を介して流れた電流の履歴を、リセット波形入力ステップＳＴ２１において逆向きに等価な電流を流すことでリセットすることができる。
【００５８】
なお、上記のリセット波形入力ステップＳＴ２１により、第２列の画素４０は白表示され、第３列の画素４０は黒表示される。すなわち、表示部５には、第１の画像を白黒反転させた画像が表示される。
【００５９】
上記のリセット波形入力ステップＳＴ２１が終了したならば、画像信号入力ステップＳＴ２２に移行し、電位Ｓ１が正極性（例えば１５Ｖ）、電位Ｓ２が負極性（例えば−１５Ｖ）とされる。これにより、表示部５に第２の画像が表示される。
【００６０】
以上に説明したように、本実施形態の電気泳動表示装置の駆動方法によれば、第２の画像表示ステップＳ１０２のリセット波形入力ステップＳＴ２１において、直前の画像信号入力ステップＳＴ１２での電流履歴を相殺し、電流の平衡状態を保つことができる。これにより、同一画像を繰り返し表示するような場合であっても、隣り合うデータ線６８間に印加される高電圧による接続端子１１５等の腐食を効果的に防止することができ、長期間にわたり優れた信頼性を得ることができる。
【００６１】
なお、本実施形態のリセット波形入力ステップＳＴ２１では、画像信号入力ステップＳＴ１２の入力パルスを反転させたパルス（逆極性で振幅及びパルス幅が同一のパルス）を入力しているが、リセット波形入力ステップＳＴ２１で入力されるパルスは、上記のパルスと電圧と印加時間の積の絶対値が同一となるようなパルスであれば任意の変更を加えることができる。例えば、リセット波形入力ステップＳＴ２１で入力されるパルスの振幅を２倍とし、パルス幅を１／２倍としてもよい。
【００６２】
また上記実施形態では、説明の簡単のために第２列の画素４０がいずれも黒表示され、第３列の画素４０がいずれも白表示される画像を用いて説明したが、より複雑な画像であっても上記の駆動方法を用いることで同様の作用効果を得ることができる。
図１０（ａ）は、１本のデータ線６８に属する複数の画素４０に異なる階調を表示させる場合のタイミングチャートである。同図に示すように、画像信号入力ステップＳＴ１２において、電位Ｓ１は書き込むタイミングの画素４０の表示階調に応じて正極性電位と基準電位との間で変化している。また、電位Ｓ２は書き込むタイミングの画素４０の表示階調に応じて負極性電位と基準電位との間で変化している。
【００６３】
上記のような第１の画像を画像信号入力ステップＳＴ１２で書き込んだ場合、第２の画像表示ステップＳ１０２のリセット波形入力ステップＳＴ２１では、図１０（ａ）に示すように、画像信号入力ステップＳＴ１２の入力波形の極性を反転させた波形が入力される。
したがって、画像信号入力ステップＳＴ１２において正極性とされた画素電極３５はリセット波形入力ステップＳＴ２１で負極性とされ、画像信号入力ステップＳＴ１２において負極性とされた画素電極３５はリセット波形入力ステップＳＴ２１で正極性とされる。
その結果、リセット波形入力ステップＳＴ２１における電位差Ｓ１−Ｓ２の波形は、画像信号入力ステップＳＴ１２における電位差Ｓ１−Ｓ２の波形の極性を反転させたものと等価となり、先の実施形態と同様にリセット波形入力ステップＳＴ２１により電流履歴がリセットされ、電流の平衡状態が保持される。
【００６４】
次に、図１０（ｂ）は、（Ｂ）リセット波形入力ステップにより当画像（当該フレームの画像）の表示動作による電流履歴をリセットする場合のタイミングチャートである。
図１０（ｂ）に示す駆動方法（Ｂ）では、第１の画像表示ステップＳ１０１のリセット波形入力ステップＳＴ１１において電位Ｓ１が負極性、電位Ｓ２が正極性とされ、続く画像信号入力ステップＳＴ１２で電位Ｓ１が正極性、電位Ｓ２が負極性とされる。つまり、リセット波形入力ステップＳＴ１１において入力される波形は、画像信号入力ステップＳＴ１２において入力される波形の極性を反転させた波形である。
これは、第２の画像表示ステップＳ１０２のように画素４０毎に階調が異なる場合においても同様であり、リセット波形入力ステップＳＴ２１で入力される波形は、画像信号入力ステップＳＴ２２で入力される波形の極性を反転させたものである。
【００６５】
上記の駆動方法（Ｂ）では、図１０（ｂ）に示すように、リセット波形入力ステップＳＴ１１における電位差Ｓ１−Ｓ２の波形が、続く画像信号入力ステップＳＴ１２における電位差Ｓ１−Ｓ２の波形の極性を反転させたものと等価となるため、第１の画像表示ステップＳ１０１内で電流の平衡状態が保持される。また、続く第２の画像表示ステップＳ１０２でも同様に同ステップの期間内で電流の平衡状態が保持される。
【００６６】
なお、駆動方法（Ｂ）では、リセット波形入力ステップＳＴ２１で入力される画像信号（第２の画像に対応する画像信号）と、その直前の画像信号入力ステップＳＴ１２で入力される画像信号（第１の画像に対応する画像信号）が異なっている。そのため、第１の画像と第２の画像とが同一画像である場合を除き、リセット波形入力ステップＳＴ２１の表示部５には第１の画像と第２の画像の画像成分が混在した画像が表示されることになる。
一方、駆動方法（Ｂ）では、１フレーム内で使用される画像データが１種類であり、前フレームの画像データを保持しておく必要がないため、先の駆動方法（Ａ）よりも簡便な駆動方法である。
【００６７】
（第２の実施形態）
次に、図１１は、本発明の第２の実施形態の駆動方法を示すタイミングチャートである。
第２実施形態に係る駆動方法は、図１１に示すように、第１の画像表示ステップＳ１０１と、第２の画像表示ステップＳ１０２とを含む。また、第１の画像表示ステップＳ１０１は、リセット波形入力ステップＳＴ１１と、画像消去ステップＳＴ１Ｗと、画像信号入力ステップＳＴ１２とを含み、第２の画像表示ステップＳ１０２は、リセット波形入力ステップＳＴ２１と、画像消去ステップＳＴ２Ｗと、画像信号入力ステップＳＴ２２とを含む。
【００６８】
本実施形態において、第１の画像表示ステップＳ１０１及び第２の画像表示ステップＳ１０２で表示部５に表示される画像は、図８に示した先の実施形態に係る第１の画像及び第２の画像と同一である。すなわち、図８の第２列の画素４０を黒表示させ、第３列の画素４０を白表示させる画像である。
【００６９】
本実施形態の駆動方法では、リセット波形入力ステップＳＴ１１（ＳＴ２１）において表示部５が全面黒表示され、続く画像消去ステップＳＴ１Ｗ（ＳＴ２Ｗ）において表示部５が全面白表示され、その後の画像信号入力ステップＳＴ１２（ＳＴ２２）において表示部５に第１の画像（第２の画像）が表示される。
【００７０】
すなわち、リセット波形入力ステップＳＴ２１では、表示部５の全体を単一の光学状態に揃えるように画素電極３５に波形が入力される。また、画像消去ステップＳＴ２Ｗでは、表示部５の全ての画素を同一の光学状態に揃えるように画素電極３５に波形が入力される。以下具体的に説明する。
まず、第１の画像表示ステップＳ１０１の画像信号入力ステップＳＴ１２では、電位Ｓ１が正極性、電位Ｓ２が基準電位とされているため、電位Ｓ１が供給されるデータ線６８（図８の第２列）に接続された画素４０のみが選択的に黒表示動作する。これにより、画像消去ステップＳＴ１Ｗにより全面白表示されていた表示部５に、図８に示した縦方向に延びる１画素幅の黒表示領域が形成され、全体として第１の画像が表示される。
【００７１】
その後、第２の画像表示ステップＳ１０２のリセット波形入力ステップＳＴ２１では、電位Ｓ１が基準電位、電位Ｓ２が正極性とされている。そうすると、電位Ｓ１が供給される画素４０の表示は変化しないまま、電位Ｓ２が供給される画素４０のみが選択的に黒表示動作し、表示部５の全面が黒表示される。つまり、リセット波形入力ステップＳＴ２１では、直前の画像信号入力ステップＳＴ１２では駆動されなかった画素４０を選択的に駆動している。
その後、画像消去ステップＳＴ２Ｗでは、電位Ｓ１が負極性、電位Ｓ２が負極性とされている。つまり、画像消去ステップＳＴ２Ｗでは全ての画素に負極性が供給され全面が白表示動作する。
【００７２】
上記の動作によれば、図１１に示すように、リセット波形入力ステップＳＴ２１における電位差Ｓ１−Ｓ２の波形が、直前の画像信号入力ステップＳＴ１２における電位差Ｓ１−Ｓ２の波形の極性を反転させたものと等価となる。これにより、画像信号入力ステップＳＴ１２の電流履歴をリセット波形入力ステップＳＴ２１によってリセットすることができ、電流の平衡状態を保持することができる。
なお、上記の動作とは違い、リセット波形入力ステップＳＴ２１で、直前の画像信号入力ステップＳＴ１２で駆動した画素４０を選択的に白表示動作して、表示部５の全面を白表示に揃える場合も、リセット波形入力ステップＳＴ２１における電位差Ｓ１−Ｓ２の波形が、直前の画像信号入力ステップＳＴ１２における電位差Ｓ１−Ｓ２の波形の極性を反転させたものと等価となる。これにより、画像信号入力ステップＳＴ１２の電流履歴をリセット波形入力ステップＳＴ２１によってリセットすることができ、電流の平衡状態を保持することができる。但し、この場合は画素単位では電流の平衡状態が崩れるため、定期的に画素単位の電流平衡状態を揃える波形を加えることが望ましい。
【００７３】
なお、以上ではリセット波形入力ステップＳＴ２１によって直前の画像信号入力ステップＳＴ１２の電流履歴をリセットすることとして説明したが、図１０（ｂ）に示した第１実施形態に係る駆動方法（Ｂ）のように、リセット波形入力ステップＳＴ２１が、その後の画像信号入力ステップＳＴ２２による電流履歴をリセットするように構成することもできる。すなわち、リセット波形入力ステップＳＴ２１における入力波形を、画像信号入力ステップＳＴ２２によって表示される画像を単一階調（黒表示）に移行させるような入力波形としてもよい。この場合にも上記と同様の作用効果を得ることができる。
なお、第１実施形態に係る駆動方法（Ｂ）と同様に、リセット波形入力ステップＳＴ２１で入力される画像信号（第２の画像に対応する画像信号）と、その直前の画像信号入力ステップＳＴ１２で入力される画像信号（第１の画像に対応する画像信号）が異なっている。そのため、第１の画像と第２の画像とが同一画像である場合を除き、リセット波形入力ステップＳＴ２１の表示部５には第１の画像と第２の画像の画像成分が混在した画像が表示されることになる。
一方、１フレーム内で使用される画像データが１種類であり、前フレームの画像データを保持しておく必要がないため、先の駆動方法よりも簡便な駆動方法である。
【００７４】
以上に説明した第２の実施形態によれば、画像表示動作による電流履歴をリセットしながら画像を表示させることができるので、接続端子１１５等に腐食が生じるのを防止でき、長期にわたり優れた信頼性を得ることができる。
また、本実施形態の場合、リセット波形入力ステップＳＴ１１（Ｓ２１）、及び画像信号入力ステップＳＴ１２（ＳＴ２２）において一方の極性のみの波形を入力している。このような駆動方法とすることで、図１１に示すように電位差Ｓ１−Ｓ２の最大値が、第１の実施形態における電位差Ｓ１−Ｓ２の１／２になるため、端子間の電流がより流れにくくなり、腐食の発生をさらに効果的に抑制することが可能である。
【００７５】
また、リセット波形入力ステップＳＴ１１（ＳＴ２１）において表示部５が全面黒表示され、続く画像消去ステップＳＴ１Ｗ（ＳＴ２Ｗ）で全面白表示された後、画像信号入力ステップＳＴ１２（ＳＴ２２）により任意の画像が表示される。したがって、第１実施形態のようにリセット波形入力ステップにおいて何らかの画像が表示されることがなく、ユーザーに違和感を与えることもない。
【００７６】
（第３の実施形態）
次に、図１２は、本発明の第３の実施形態の駆動方法を示すタイミングチャートである。
第３実施形態に係る駆動方法は、図１２に示すように、第１の画像表示ステップＳ１０１と、第２の画像表示ステップＳ１０２とを含む。また、第１の画像表示ステップＳ１０１は、リセット波形入力ステップＳＴ１１と、第１の画像消去ステップＳＴ１Ｂと、第２の画像消去ステップＳＴ１Ｗと、画像信号入力ステップＳＴ１２とを含む。第２の画像表示ステップＳ１０２は、リセット波形入力ステップＳＴ２１と、第１の画像消去ステップＳＴ２Ｂと、第２の画像消去ステップＳＴ２Ｗと、画像信号入力ステップＳＴ２２とを含む。
【００７７】
本実施形態において、第１の画像表示ステップＳ１０１及び第２の画像表示ステップＳ１０２で表示部５に表示される画像は、図８に示した先の実施形態に係る第１の画像及び第２の画像と同一である。すなわち、図８の第２列の画素４０を黒表示させ、第３列の画素４０を白表示させる画像である。
【００７８】
本実施形態の駆動方法では、リセット波形入力ステップＳＴ１１（ＳＴ２１）において表示部５が全面白表示され、続く第１の画像消去ステップＳＴ１Ｂ（ＳＴ２Ｂ）において表示部５が全面黒表示され、次いで第２の画像消去ステップＳＴ１Ｗ（ＳＴ２Ｗ）において表示部５が全面白表示される。その後、画像信号入力ステップＳＴ１２（ＳＴ２２）において表示部５に第１の画像（第２の画像）が表示される。
【００７９】
すなわち、リセット波形入力ステップＳＴ２１では、表示部５の全体を単一の光学状態に揃えるように画素電極３５に波形が入力される。また、第１の画像消去ステップＳＴ２Ｂでは、表示部５の全ての画素を第１の階調に揃えるように画素電極３５に波形が入力される。また、第２の画像消去ステップＳＴ２Ｂでは、表示部５の全ての画素を第２の階調に揃えるように画素電極３５に波形が入力される。以下具体的に説明する。
まず、第１の画像表示ステップＳ１０１の画像信号入力ステップＳＴ１２では、電位Ｓ１が正極性、電位Ｓ２が基準電位とされているため、電位Ｓ１が供給されるデータ線６８（図８の第２列）に接続された画素４０のみが選択的に黒表示動作する。これにより、第２の画像消去ステップＳＴ１Ｗにより全面白表示されていた表示部５に、図８に示した縦方向に延びる１画素幅の黒表示領域が形成され、全体として第１の画像が表示される。
【００８０】
その後、第２の画像表示ステップＳ１０２のリセット波形入力ステップＳＴ２１では、電位Ｓ１が負極性、電位Ｓ２が基準電位とされている。そうすると、電位Ｓ２が供給される画素４０の表示は変化しないまま、電位Ｓ１が供給される画素４０のみが選択的に白表示動作し、表示部５の全面が白表示される。つまり、本実施形態のリセット波形入力ステップＳＴ２１では、直前の画像信号入力ステップＳＴ１２では黒表示動作した画素４０を選択的に白表示動作させ、表示部５を全面白表示としている。
なお、リセット波形入力ステップＳＴ２１における入力波形は、表示部５の全体を単一の光学状態に揃える波形であるとともに、直前の画像信号入力ステップＳＴ１２の入力波形の極性を反転させた波形でもある。
その後、第１の画像消去ステップＳＴ２Ｂでは、電位Ｓ１が正極性、電位Ｓ２が正極性とされている。つまり、画像消去ステップＳＴ２Ｂでは全ての画素に正極性が供給され全面が黒表示動作する。
その後、第２の画像消去ステップＳＴ２Ｗでは、電位Ｓ１が負極性、電位Ｓ２が負極性とされている。つまり、画像消去ステップＳＴ２Ｗでは全ての画素に負極性が供給され全面が白表示動作する。
【００８１】
上記の動作によれば、図１２に示すように、リセット波形入力ステップＳＴ２１における電位差Ｓ１−Ｓ２の波形が、直前の画像信号入力ステップＳＴ１２における電位差Ｓ１−Ｓ２の波形の極性を反転させたものと等価となる。これにより、画像信号入力ステップＳＴ１２の電流履歴をリセット波形入力ステップＳＴ２１によってリセットすることができ、電流の平衡状態を保持することができる。
【００８２】
なお、以上ではリセット波形入力ステップＳＴ２１によって直前の画像信号入力ステップＳＴ１２の電流履歴をリセットすることとして説明したが、図１０（ｂ）に示した第１実施形態に係る駆動方法（Ｂ）のように、リセット波形入力ステップＳＴ２１が、その後の画像信号入力ステップＳＴ２２による電流履歴をリセットするように構成することもできる。すなわち、リセット波形入力ステップＳＴ２１における入力波形を、画像信号入力ステップＳＴ２２での入力波形の極性を反転させた波形としてもよい。この場合にも上記と同様の作用効果を得ることができる。
【００８３】
以上に説明した第３の実施形態によれば、画像表示動作による電流履歴をリセットしながら画像を表示させることができるので、接続端子１１５等に腐食が生じるのを防止でき、長期にわたり優れた信頼性を得ることができる。
また、本実施形態の場合にも、リセット波形入力ステップＳＴ１１（Ｓ２１）、及び画像信号入力ステップＳＴ１２（ＳＴ２２）において一方の極性のみの波形を入力している。このような駆動方法とすることで、図１２に示すように電位差Ｓ１−Ｓ２の最大値が、第１の実施形態における電位差Ｓ１−Ｓ２の１／２になるため、端子間の電流がより流れにくくなり、腐食の発生をさらに効果的に抑制することが可能である。
【００８４】
また、リセット波形入力ステップＳＴ１１（ＳＴ２１）において表示部５が全面白表示され、第１の画像消去ステップＳＴ１Ｂ（ＳＴ２Ｂ）で全面黒表示され、第２の画像消去ステップＳＴ１Ｗ（ＳＴ２Ｗ）で全面白表示された後、画像信号入力ステップＳＴ１２（ＳＴ２２）により任意の画像が表示される。したがって、第１実施形態のようにリセット波形入力ステップにおいて何らかの画像が表示されることがなく、ユーザーに違和感を与えることもない。また、複数回の画像消去動作を行っているため、残像の発生を抑え、高品質の表示を得ることができる。
【００８５】
（電子機器）
次に、上記実施形態の電気泳動表示装置を、電子機器に適用した場合について説明する。
図１３は、腕時計１０００の正面図である。腕時計１０００は、時計ケース１００２と、時計ケース１００２に連結された一対のバンド１００３とを備えている。
時計ケース１００２の正面には、上記各実施形態の電気泳動表示装置からなる表示部１００５と、秒針１０２１と、分針１０２２と、時針１０２３とが設けられている。時計ケース１００２の側面には、操作子としての竜頭１０１０と操作ボタン１０１１とが設けられている。竜頭１０１０は、ケース内部に設けられる巻真（図示は省略）に連結されており、巻真と一体となって多段階（例えば２段階）で押し引き自在、かつ、回転自在に設けられている。表示部１００５では、背景となる画像、日付や時間などの文字列、あるいは秒針、分針、時針などを表示することができる。
【００８６】
図１４は電子ペーパー１１００の構成を示す斜視図である。電子ペーパー１１００は、上記実施形態の電気泳動表示装置を表示領域１１０１に備えている。電子ペーパー１１００は可撓性を有し、従来の紙と同様の質感及び柔軟性を有する書き換え可能なシートからなる本体１１０２を備えて構成されている。
【００８７】
図１５は、電子ノート１２００の構成を示す斜視図である。電子ノート１２００は、上記の電子ペーパー１１００が複数枚束ねられ、カバー１２０１に挟まれているものである。カバー１２０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【００８８】
以上の腕時計１０００、電子ペーパー１１００、及び電子ノート１２００によれば、本発明に係る電気泳動表示装置が採用されているので、長期にわたって優れた信頼性が得られる表示手段を備えた電子機器となる。
なお、上記の電子機器は、本発明に係る電子機器を例示するものであって、本発明の技術範囲を限定するものではない。例えば、携帯電話、携帯用オーディオ機器などの電子機器の表示部にも、本発明に係る電気光学装置は好適に用いることができる。
【符号の説明】
【００８９】
５  表示部、３０  素子基板、３１  対向基板、３２  電気泳動素子、３５  画素電極、３７  共通電極、４０  画素、６３  コントローラー（制御部）、１００  電気泳動表示装置、１１０，１２０，１３０  端子形成領域、１１５  接続端子、ＳＴ１１，ＳＴ２１  リセット波形入力ステップ、ＳＴ１２，ＳＴ２２  画像信号入力ステップ、ＳＴ１Ｂ，ＳＴ２Ｂ  第１の画像消去ステップ、ＳＴ１Ｗ，ＳＴ２Ｗ  第２の画像消去ステップ
【図１】
2011123216.tif 000003
【図２】
2011123216.tif 000004
【図３】
2011123216.tif 000005
【図４】
2011123216.tif 000006
【図５】
2011123216.tif 000007
【図６】
2011123216.tif 000008
【図７】
2011123216.tif 000009
【図８】
2011123216.tif 000010
【図９】
2011123216.tif 000011
【図１０】
2011123216.tif 000012
【図１１】
2011123216.tif 000013
【図１２】
2011123216.tif 000014
【図１３】
2011123216.tif 000015
【図１４】
2011123216.tif 000016
【図１５】
2011123216.tif 000017